(57)【要約】【課題】画像形成装置に搭載された人体検知センサーの検知距離を容易に変更する。【解決手段】通常動作可能な通常動作モードと印刷処理が可能な省電力状態のスリープモードとの切り替えが可能な画像形成装置１は、表示部４７３と、画像形成装置１に操作者が接近したことを検知して検知信号を発する人体検知センサー５０と、画像形成装置１がスリープモードにあるときに人体検知センサー５０から検知信号を受信したとき、画像形成装置１を通常動作モードに移行させて表示部４７３を点灯させる制御部１００と、人体検知センサー５０の検知距離を、タッチパネル機能により検出される操作者による表示部４７３でのスライド操作で指定されるスライド位置に応じた距離に設定する検知距離設定部１０１とを備える。【選択図】図３
2015139963.tif 000002
【特許請求の範囲】
【請求項１】
タッチパネル機能を有する表示部と、
操作者が接近したことを検知して検知信号を発する人体検知センサーと、
通常動作可能な通常動作モードと、省電力状態のスリープモードとを切り替え制御し、当該画像形成装置が前記スリープモードにあるときには前記表示部を消灯し、当該画像形成装置が前記スリープモードにあるときに前記人体検知センサーから前記検知信号を受信したときは、当該画像形成装置を前記通常動作モードに移行させて前記表示部を点灯させる制御部と、
前記人体検知センサーの検知距離を、前記タッチパネル機能により検出される操作者による前記表示部でのスライド操作で指定されるスライド位置に応じた距離に設定する検知距離設定部とを備えた画像形成装置。
【請求項２】
前記制御部は、操作者の前記スライド操作で指定されるスライド位置に応じて伸縮を変化させてスライドバー画像を前記表示部に表示させる請求項１に記載の画像形成装置。
【請求項３】
前記制御部は、前記スライド位置に応じた前記人体検知センサーの検知距離での推奨使用環境を示す推奨情報を前記表示部に表示させる請求項１又は請求項２に記載の画像形成装置。
【請求項４】
前記制御部は、操作者による前記スライド操作中に、当該スライド操作により指定されるスライド位置に対応する前記人体検知センサーの検知距離についての前記推奨情報を前記表示部にポップアップ表示させる請求項３に記載の画像形成装置。
【請求項５】
前記制御部は、前記検知距離設定部により設定される前記人体検知センサーの検知距離が予め定められた距離以上である場合には、前記人体検知センサーにより人体が検知された時に即座に前記表示部を点灯させる請求項１乃至請求項４のいずれかに記載の画像形成装置。
【請求項６】
前記制御部は、前記検知距離設定部により設定される前記人体検知センサーの検知距離に応じて、前記表示部を点灯させるまでの復帰時間を変更し、当該検知距離が短いほど当該復帰時間を長くする請求項１乃至請求項５のいずれかに記載の画像形成装置。
【発明の詳細な説明】
【技術分野】
【０００１】
本発明は、画像形成装置に関し、特に、操作者を検知してスリープモードから通常動作モードへ自動復帰する機能を有する画像形成装置に関する。
【背景技術】
【０００２】
トナー像を記録用紙に熱定着させるタイプの画像形成装置では画像形成処理にかかる消費電力が大きいため、画像形成処理が不要な場合などには通常動作モードから省電力状態のスリープモードへと動作モードの切り替えができるようになっている。下記特許文献１のように、画像形成装置に対して所定時間何も操作されない場合に通常動作モードからスリープモードへと自動的に切り替わり、画像形成装置がスリープモードにあるときに人体検知センサーが操作者の接近を検知すると自動的に通常動作モードへ切り替えるものがある。
【先行技術文献】
【特許文献】
【０００３】
【特許文献１】特開平９−１６６９４３号公報
【発明の概要】
【発明が解決しようとする課題】
【０００４】
上記特許文献１のような自動復帰機能を有する画像形成装置を例えばコンビニエンスストアーなどに設置した場合、画像形成装置と商品配列棚やレジとの距離が近いため、人が画像形成装置の近くを通行する度に、その人が画像形成装置の操作者ではなくても、画像形成装置が自動復帰してしまうおそれがある。また、画像形成装置がレジに立っている人を検知し続けて通常動作モードで動作し続けてしまう場合もあり、この場合には省電力効果が得られない。
【０００５】
画像形成装置の設置場所は、コンビニエンスストアー以外にも、プリントショップ、事務所、役所等さまざまな場所に設置される。画像形成装置に搭載された人体検知センサーの検知距離は、各設置場所に応じて適切に設定できて、この操作は簡単であることが望ましい。また、利用者（管理者）が、画像形成装置がすぐに自動復帰できるようにして利便性向上を優先するか、又は、自動復帰をし難くして省電力向上を優先するかを切り替えたい場合も考えられる。
【０００６】
本発明は、上記の問題を解決するためになされたもので、画像形成装置に搭載された人体検知センサーの検知距離を容易に変更可能にすることを目的とする。
【課題を解決するための手段】
【０００７】
本発明の一局面に係る画像形成装置は、タッチパネル機能を有する表示部と、
操作者が接近したことを検知して検知信号を発する人体検知センサーと、
通常動作可能な通常動作モードと、省電力状態のスリープモードとを切り替え制御し、当該画像形成装置が前記スリープモードにあるときには前記表示部を消灯し、当該画像形成装置が前記スリープモードにあるときに前記人体検知センサーから前記検知信号を受信したときは、当該画像形成装置を前記通常動作モードに移行させて前記表示部を点灯させる制御部と、
前記人体検知センサーの検知距離を、前記タッチパネル機能により検出される操作者による前記表示部でのスライド操作で指定されるスライド位置に応じた距離に設定する検知距離設定部とを備えたものである。
【発明の効果】
【０００８】
本発明によれば、操作者が表示部に表示されたスライドバーを操作して、画像形成装置に搭載された人体検知センサーの検知距離を容易に変更することができる。これにより、人体検知センサーの検知距離を、画像形成装置の設置場所に適した値に設定したり、利便性優先又は省電力優先に応じた値に設定したりすることができる。
【図面の簡単な説明】
【０００９】
【図１】本発明の一実施形態に係る画像形成装置の構造を示す正面断面図である。
【図２】人体検知センサーの設置例を示す図である。
【図３】画像形成装置の主要内部構成を示す機能ブロック図である。
【図４】検知距離設定のために表示部に表示されるスライドバー画像の一例を示す図である。
【図５】画像形成装置における人体検知センサーの検知距離変更処理を示すフローチャートである。
【図６】検知距離設定のために表示部に表示されるスライドバーの他の例を示す図である。
【発明を実施するための形態】
【００１０】
以下、本発明の一実施形態に係る画像形成装置について図面を参照して説明する。図１は、本発明の一実施形態に係る画像形成装置の構造を示す正面断面図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、表示部４７３を備える。表示部４７３は、タッチパネル機能を有するＬＣＤ（Liquid Crystal Display）で構成されている。
【００１３】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１４】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１５】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱定着により記録紙Ｐに定着させる。定着処理の完了したカラー画像形成済みの記録紙Ｐは、排出トレイ１５１に排出される。
【００１６】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００１７】
画像形成装置１の前面の適当な箇所に、画像形成装置１の操作者を対象物として検知するための人体検知センサーが設置されている。図２は、人体検知センサー５０の設置例を示す図である。人体検知センサー５０は、例えば、操作部４７の適当な箇所に設置することができる。
【００１８】
人体検知センサー５０は、焦電型赤外線センサー（図略）及びその制御基板（図略）から構成される。焦電型赤外線センサーは、焦電効果を有する基板表面に電極を有する焦電素子を備え、この焦電素子を用いて予め定められた検知領域内の対象物(人又は物体)の検知を行う。焦電型赤外線センサーは、強誘電体等からなる焦電体基板と、該焦電体基板の両面に対向して設けられた電極とを有する焦電素子を備え、人体の動作により発生した赤外線を焦電素子の受光部に集光させ、赤外線の変化に応じて生じる焦電素子の分極による信号を電圧信号に変換し、所定の処理を経た当該電圧信号が閾値との比較でコンパレータによりハイレベル又はローレベルとなる場合に、対象物を検知したものとして、当該ハイレベル又はローレベルを示す信号を出力する。
【００１９】
なお、人体検知センサー５０は、左右及び正面から画像形成装置１に接近する操作者を検知することができるように、その視野角は１００度以上であることが好ましい。
【００２０】
次に、画像形成装置１の構成を説明する。図３は画像形成装置１の主要内部構成を示す機能ブロック図である。
【００２１】
画像形成装置１は、制御ユニット１０を備える。制御ユニット１０は、ＣＰＵ(Central Processing Unit)、ＲＡＭ、ＲＯＭ及び専用のハードウェア回路等から構成される。
【００２２】
原稿読取部５は、制御ユニット１０による制御の下、光照射部及びＣＣＤセンサー等を有する読取機構１６３を備える。原稿読取部５は、光照射部により原稿を照射し、その反射光をＣＣＤセンサーで受光することにより、原稿から画像を読み取る。
【００２３】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００２４】
画像メモリー３２は、原稿読取部５による読取で得られた原稿画像のデータを一時的に記憶したり、画像形成部１２のプリント対象となるデータを一時的に保存する領域である。
【００２５】
画像形成部１２は、原稿読取部５で読み取られた印刷データ、ネットワーク接続されたコンピューター２００から受信した印刷データ等の画像形成を行う。
【００２６】
操作部４７は、画像形成装置１が実行可能な各種動作及び処理について操作者からの指示を受け付ける。操作部４７は、表示部４７３を備える。
【００２７】
表示部４７３は、画像形成装置１が通常動作モードにあるときに、操作画面、プレビュー画面、印刷ジョブ状況の確認画面等の各種表示をする。一方、表示部４７３は、画像形成装置１がスリープモードにあるときには消灯する。
【００２８】
ファクシミリ通信部７１は、図略の符号化／復号化部、変復調部及びＮＣＵ（Network Control Unit）を備え、公衆電話回線網を用いてのファクシミリの送信を行うものである。
【００２９】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。
【００３０】
ＨＤＤ９２は、原稿読取部５によって読み取られた原稿画像等を記憶する大容量の記憶装置である。
【００３１】
人体検知センサー５０は、画像形成装置１に操作者が接近したことを検知して検知信号を発する。後述するように、人体検知センサー５０は、検知距離設定部１０１の制御により、検知距離が変更可能となっている。
【００３２】
駆動モーター７０は、画像形成部１２の各回転部材及び搬送ローラー対１９１以外の搬送ローラー対１９等に回転駆動力を付与する駆動源である。
【００３３】
制御ユニット１０は、制御部１００と、検知距離設定部１０１とを備えている。
【００３４】
制御部１００は、画像形成装置１の全体的な動作制御を司る。制御部１００は、原稿読取部５、原稿給送部６、画像処理部３１、画像メモリー３２、画像形成部１２、操作部４７、ファクシミリ通信部７１、ネットワークインターフェイス部９１、ＨＤＤ（ハードディスクドライブ）９２、人体検知センサー５０等と接続され、これら各部の駆動制御を行う。
【００３５】
制御部１００は、通常動作可能な通常動作モードと、省電力状態のスリープモードとを切り替える制御を行う。制御部１００は、画像形成装置１がスリープモードにあるときには表示部４７３を消灯し、画像形成装置１がスリープモードにあるときに人体検知センサー５０から上記検知信号を受信したときは、画像形成装置１を通常動作モードに移行させて表示部４７３を点灯させる。
【００３６】
検知距離設定部１０１は、人体検知センサー５０の検知距離を、タッチパネル機能により検出される操作者による表示部４７３でのスライド操作で指定されるスライド位置に応じた距離に設定する。
【００３７】
このとき、制御部１００は、操作者のスライド操作で指定されるスライド位置に応じて伸縮を変化させてスライドバー画像を表示部４７３に表示させる。これにより、操作者に対して、スライドバー画像の伸縮を視認させることで、操作者に対して、人体検知センサー５０の検知距離の長短を設定する操作を行っていることを体感させることが可能になる（後述する図６参照）。
【００３８】
なお、検知距離設定部１０１は、上記検知距離を、人体検知センサー５０を構成する焦電型赤外線センサー（図略）の出力信号の増幅率を変更したり、同センサーの感度調整用の可変抵抗（図略）の抵抗値を変更する等して変更可能である。
【００３９】
図４は、検知距離設定のために表示部４７３に表示されるスライドバー画像の一例を示す図である。例えば、検知距離設定部１０１は、人体検知センサー５０の検知距離を０．３ｍから５ｍまで変更可能としている。操作者が表示部４７３の表示画面におけるスライドバー画像（以下、スライドバーという）４８の表示領域に例えば指で接触し、指による接触位置を移動させると、各接触位置がタッチパネル表示部４７３のタッチパネル機能により検出される。図４に示す実施形態においては、検知距離設定部１０１は、タッチパネル機能により検出される接触位置が、スライドバー４８の表示領域において左側から右側に向かうほど、人体検知センサー５０の検知距離を短く設定する。検知距離設定部１０１は、タッチパネル機能により接触位置が連続して検出される場合は、最終に検出された接触位置に基づいて、人体検知センサー５０の検知距離を設定する。これにより、操作者は、表示部４７３の表示画面上におけるスライドバー４８の表示領域において、表示画面に指を接触させた状態で当該指をスライド動作させるスライド操作を行うことにより、任意の検知距離を設定することが可能である。
【００４０】
さらに、制御部１００は、操作者によるスライドバー４８の表示領域での上記接触位置に対応する人体検知センサー５０の検知距離についての推奨使用環境を示す推奨情報４９ａ〜４９ｅを表示部４７３に表示させてもよい。例えば、推奨情報４９ａは、利便性を優先する場合や深夜の防犯目的の場合には検知距離を最大の５ｍにすればよいことを表している。また、推奨情報４９ｅは、省電力を優先する場合には検知距離を最小の０．３ｍにすればよいことを表す。このように、推奨情報４９ａ〜４９ｅを表示させることにより、画像形成装置１の設置場所や優先順位に応じてスライドバー４８をどこまでスライドさせたらよいかがわかり易くなる。
【００４１】
次に、画像形成装置１における人体検知センサー５０の検知距離変更処理について説明する。図５は、画像形成装置１における人体検知センサー５０の検知距離変更処理を示すフローチャートである。
【００４２】
人体検知センサー５０の検知距離を変更する場合、制御部１００は、人体検知センサー５０の現在の検知距離を示す長さとなるスライドバー４８を表示部４７３に表示させる（Ｓ１）。操作者がスライドバー４８の表示領域においてスライド操作を行い、表示画面から非接触の状態にすると、タッチパネル機能により最終の接触位置が検出され、検知距離設定部１０１は、当該検出された接触位置が、現在設定されている上記検知距離に対応する接触位置と同一か変更されたかを判定する（Ｓ２）。
【００４３】
上記検出された接触位置が変更されていなければ（Ｓ２でＮＯ）、人体検知センサー５０の検知距離は変更されずに処理は終了する。一方、上記検出された接触位置が変更されている場合は（Ｓ２でＹＥＳ）、制御部１００は、人体検知センサー５０の検知距離を、当該検出された接触位置に応じた距離に設定する（Ｓ３）。
【００４４】
以上のように、本実施形態によれば、表示部４７３におけるスライドバー４８の表示領域でのスライド操作により、画像形成装置１の設置場所や優先順位に応じて人体検知センサー５０の検知距離を自由かつリニアに変更することができる。これにより、人体検知センサー５０の検知距離が長すぎることにより生じる誤検知等を減少させることができる。
【００４５】
図６は、検知距離設定のために表示部４７３に表示されるスライドバー４８の他の例を示す図である。上記図４及び図６を用いて、上記検知距離変更処理中におけるスライドバー４８の表示、及び制御部１００による復帰時間の設定について説明する。制御部１００は、スライドバー４８の表示領域における操作者によるスライド操作中に、操作者による接触位置に対応する人体検知センサー５０の検知距離の推奨使用環境を表す推奨情報４９ｆを表示部４７３にポップアップ表示させてもよい。さらに、推奨情報４９ｆのように、推奨される使用環境が一目でわかるようなイラストを推奨情報に含めてもよい。このように、推奨情報４９ｆをポップアップ表示させることにより、画像形成装置１の設置場所や優先順位に応じてスライドバー４８をどこまでスライドさせたらよいかがわかり易くなる。
【００４６】
また、制御部１００は、検知距離設定部１０１により設定される上記検知距離に応じて、スリープモード実施形態に人体検知センサー５０から検知信号を受信したときに通常動作モードに移行させて表示部４７３を点灯させるまでの復帰時間を設定する処理まで行うようにしてもよい。例えば、制御部１００は、上記検知距離が予め定められた距離である５ｍ以上の場合は、復帰時間を０秒（瞬間復帰）に設定する。この場合、画像形成装置１から５ｍ離れた位置に人がいる場合に、表示部４７３を人体検知から即座に点灯させることになり、省電力効果は少ないが、当該表示部４７３が点灯することで、防犯効果を得ることができる。
【００４７】
また、制御部１００は、上記検知距離が短いほど復帰時間を長くしてもよい。例えば、制御部１００は、標準とされる上記検知距離１ｍでは復帰時間２秒、省電力優先とされる上記検知距離０．３ｍでは復帰時間４秒として設定する。これにより、スリープモードが解除されて消費電力が増加する状態となる時間を極力減らして省電力を図ることができる。
【００４８】
図４に示す推奨情報４９ａ、４９ｃ、４９ｅ、４９ｆは、上記のように制御部１００が設定する例を示している。
【００４９】
なお、本発明は上記実施の形態の構成に限られず種々の変形が可能である。例えば、上記実施形態では、本発明に係る画像形成装置の一実施形態として複合機を用いて説明しているが、これは一例に過ぎず、他の電子機器、例えば、プリンター、コピー機、ファクシミリ装置等の他の画像形成装置でもよい。
【００５０】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００５１】
１        画像形成装置
５０      人体検知センサー
１００    制御部
１０１    検知距離設定部
４７３    表示部
４８      スライドバー
４９ａ〜４９ｆ  推奨情報
【図１】
2015139963.tif 000003
【図２】
2015139963.tif 000004
【図３】
2015139963.tif 000005
【図５】
2015139963.tif 000006
【図４】
2015139963.tif 000007
【図６】
2015139963.tif 000008